(57)【要約】【課題】被接続端子２２が前面１４ａの前方側以外で弾性変形部１６の折り曲げを開く方向で前面１４ａと略平行方向から接近しても、端子１０は弾性変形部１６の折り曲げを開く方向に過度に弾性変形されないコネクタを提供する。【解決手段】被接続端子２２が前面の前方側から接近して弾性変形部１６を中心として弾性変形して端子１０の先端部２０がコネクタ本体１４内にさらに挿入されるのを許容する。コネクタ本体１４内で端子１０の先端部２０が弾性変形部１６の折り曲げを開く方向で前面１４ａと略平行方向に移動するの阻止する規制部１４ｃを設ける。被接続端子２２が前面１４ａの前方側以外で弾性変形部１６の折り曲げを開く方向から接近しても、端子１０の先端部２０が規制部１４ｃに当接して、端子１０は弾性変形部１６の折り曲げを開く方向に過度に弾性変形されることがない。よって、端子１０は過度な弾性変形がなされずに塑性変形を生じない。【選択図】  図９
2008047447.tif 000002
【特許請求の範囲】
【請求項１】
弾性と導電性を有する略帯状板金からなる端子の一端側を絶縁性のコネクタ本体内に固定するとともに、前記端子を折り曲げて弾性変形部を形成するとともに前記コネクタ本体の前面より前方に突出させ、さらに前記端子の他端側を前記折り曲げ方向と同方向に折り曲げて当接部を形成するとともに前記他端側の先端部を前記コネクタ本体内に前記前面から挿入するようになし、前記端子に対して接続対象物が前記前面の前方側から前記コネクタ本体に接近する方向に相対移動することで、前記接続対象物の被接続端子が前記当接部に当接して電気的接続するとともに前記端子が前記弾性変形部を中心として弾性変形して前記端子の前記先端部が前記コネクタ本体内にさらに挿入されるコネクタにおいて、前記接続対象物が前記前面の前方側から接近して前記弾性変形部を中心として弾性変形して前記端子の前記先端部が前記コネクタ本体内にさらに挿入されるのを許容するとともに、前記接続対象物が前記前面の前方側以外で前記弾性変形部の折り曲げを開く方向から接近するのに対して、前記端子の前記先端部が当接して前記コネクタ本体内で前記弾性変形部の折り曲げを開く方向で前記前面と略平行方向に移動するの阻止する規制部を設けて構成したことを特徴とするコネクタ。
【請求項２】
請求項１記載のコネクタにおいて、前記端子の前記先端部をさらに前記弾性変形部の前記折り曲げ方向と同じ方向に折り曲げ、前記接続対象物が前記前面の前方側以外の前記弾性変形部の折り曲げを開く方向から接近すると、前記折り曲げた先端縁が前記規制部に縦方向に当接するように構成したことを特徴とするコネクタ。
【請求項３】
請求項１記載のコネクタにおいて、前記端子の前記先端部に幅広部を設け、前記接続対象物が前記前面の前方側以外の前記弾性変形部の折り曲げを開く方向から接近すると、前記幅広部の両側部が前記規制部に当接するように構成したことを特徴とするコネクタ。
【発明の詳細な説明】
【技術分野】
【０００１】
本発明は、弾性を有する端子に、接続対象物が前面の前方側以外から接近した場合にも、端子が過度に弾性変形されて塑性変形を生じないようにしたコネクタに関するものである。
【背景技術】
【０００２】
一般的に、携帯電話機等の携帯用電子機器の本体裏面には、充電式電池からなるバッテリーユニットが着脱自在に配設され、バッテリーユニットの被接続端子に本体側に設けられたコネクタの端子が当接して電気的接続がなされ、もってバッテリーユニットと機器本体が電気的接続されるようになっている。
【０００３】
かかるコネクタの従来構造の一例が、特開２００４−２６５５９８号公報（以下、特許文献１と称する。）に示されている。この特許文献１に示された従来技術を図１４および図１５を参照して簡単に説明する。図１４は、特許文献１に示された従来のコネクタの構造の縦断面図である。図１５は、図１４の従来のコネクタの構造で、接続対象物が前面の前方側以外から接近すると、端子が過度に弾性変形されて塑性変形を生じる虞があることを説明する図である。
【０００４】
図１４および図１５において、弾性と導電性を有する略帯状板金からなる端子１０は、その一端側が板厚方向に略Ｓ字状に折り曲げられ、この略Ｓ字状に折り曲げられた部分のより端側にある一方の略Ｕ字状の折り曲げ部分１２が絶縁性のコネクタ本体１４内の溝部に適宜に挿入されて固定されるとともに、略Ｓ字状に折り曲げられた部分の他方の固定されない略Ｕ字状の折り曲げにより弾性変形部１６が形成される。そして、端子１０は、弾性変形部１６の固定されない側に連なる部分がコネクタ本体１４の前面１４ａより前方に突出され、この突出された部分の途中が略Ｕ字状の弾性変形部１６の折り曲げ方向と同じ板厚方向に略「く」の字状に折り曲げられて当接部１８が形成される。さらに、この当接部１８に連なる他端側の先端部２０が、コネクタ本体１４内に前面１４ａから再び挿入し得るように形成される。なお、コネクタ本体１４の前面１４ａには、端子１０が弾性変形する際に、弾性変形部１６から当接部１８に到る部分等の挿通を許容するスリット１４ｂが設けられている。そして、接続対象物としてのバッテリーユニットが機器本体に装着されることによって、バッテリーユニットは前面１４ａの前方側からコネクタ本体１４に接近する方向（図１４にＡで示す方向）に相対移動し、バッテリーユニットの被接続端子２２が端子１０の当接部１８に当接して電気的接続される。この際に、端子１０は略Ｕ字状の弾性変形部１６を中心としてこれの固定されない側に連なる部分が、図１４に破線で示すごとく、板厚方向に弾性変形されて、端子１０の他端側の先端部２０がコネクタ本体１４内にさらに深く挿入される。なお、端子１０の他端側の先端部２０が、コネクタ本体１４内に深く挿入できるように、コネクタ本体１４内には大きな空間が設けられている。
【特許文献１】特開２００４−２６５５９８号公報
【発明の開示】
【発明が解決しようとする課題】
【０００５】
ところで、接続対象物としてのバッテリーユニットが機器本体に装着されることによって、バッテリーユニットは前面１４ａの前方側からコネクタ本体１４に接近する方向（図１４にＡで示す方向）に相対移動し、バッテリーユニットの被接続端子２２が端子１０の当接部１８に前方側から当接すれば、端子１０が塑性変形して弾性復帰できなくなるようなことはない。しかしながら、接続対象物としてのバッテリーユニットが前面１４ａの前方側以外で弾性変形部１６の折り曲げを開く方向で前面１４ａと略平行方向（図１５にＢで示す方向）から接近すると、図１５に破線で示すごとく、端子１０は弾性変形部１６の折り曲げを開く方向に弾性変形されるとともに、先端部２０が前面１４ａと略平行方向に大きく移動し、過度の弾性変形によっては塑性変形を生じて弾性復帰し得なくなる変形を生じ、電気的接続が不完全となるという不具合があった。
【０００６】
本発明は、上述したごとき従来のコネクタの事情に鑑みてなされたもので、接続対象物としてのバッテリーユニットが前面の前方側以外で弾性変形部の折り曲げを開く方向で前面と略平行方向から接近しても、端子は弾性変形部の折り曲げを開く方向に過度に弾性変形されることがなく、塑性変形を生じる虞のないコネクタを提供することを目的とする。
【課題を解決するための手段】
【０００７】
かかる目的を達成するために、本発明のコネクタは、弾性と導電性を有する略帯状板金からなる端子の一端側を絶縁性のコネクタ本体内に固定するとともに、前記端子を折り曲げて弾性変形部を形成するとともに前記コネクタ本体の前面より前方に突出させ、さらに前記端子の他端側を前記折り曲げ方向と同方向に折り曲げて当接部を形成するとともに前記他端側の先端部を前記コネクタ本体内に前記前面から挿入するようになし、前記端子に対して接続対象物が前記前面の前方側から前記コネクタ本体に接近する方向に相対移動することで、前記接続対象物の被接続端子が前記当接部に当接して電気的接続するとともに前記端子が前記弾性変形部を中心として弾性変形して前記端子の前記先端部が前記コネクタ本体内にさらに挿入されるコネクタにおいて、前記接続対象物が前記前面の前方側から接近して前記弾性変形部を中心として弾性変形して前記端子の前記先端部が前記コネクタ本体内にさらに挿入されるのを許容するとともに、前記接続対象物が前記前面の前方側以外で前記弾性変形部の折り曲げを開く方向から接近するのに対して、前記端子の前記先端部が当接して前記コネクタ本体内で前記弾性変形部の折り曲げを開く方向で前記前面と略平行に移動するの阻止する規制部を設けて構成されている。
【０００８】
そして、前記端子の前記先端部をさらに前記弾性変形部の前記折り曲げ方向と同じ方向に折り曲げ、前記接続対象物が前記前面の前方側以外で前記弾性変形部の折り曲げを開く方向から接近すると、前記折り曲げた先端縁が前記規制部に縦方向に当接するように構成しても良い。
【０００９】
また、前記端子の前記先端部に幅広部を設け、前記接続対象物が前記前面の前方側以外の前記弾性変形部の折り曲げを開く方向から接近すると、前記幅広部の両側縁が前記規制部に当接するように構成しても良い。
【発明の効果】
【００１０】
請求項１記載のコネクタにあっては、接続対象物が前面の前方側以外で弾性変形部の折り曲げを開く方向で前面と略平行方向から接近しても、前記コネクタ本体内で端子の先端部が弾性変形部の折り曲げを開く方向に移動するのが規制部で阻止されるので、誤って接続対象物が前面の前方側以外で弾性変形部の折り曲げを開く方向から接近して端子が押圧されても、端子は規制部によって前面と略平行方向に過度に弾性変形することがない。よって、端子は過度な弾性変形がなされずに塑性変形を生ずることがなく、被接続端子に対して確実な電気的接続が可能である。
【００１１】
請求項２記載のコネクタにあっては、端子の先端部をさらに弾性変形部の折り曲げ方向と同じ方向に折り曲げて、接続対象物が前面の前方側以外で弾性変形部の折り曲げを開く方向から接近すると、折り曲げた先端縁が規制部に縦方向に当接するようにしたので、端子の先端部は弾性変形部の折り曲げを開く方向の力に対して機械的強度が大きく、誤って接続対象物が前面の前方側以外で弾性変形部の折り曲げを開く方向から接近して端子が押圧されても、端子の先端部が規制部に確実に当接して移動を阻止し得る。
【００１２】
請求項３記載のコネクタにあっては、端子の先端部に幅広部を設けたので、コネクタ本体の前面に設けスリットの両側部に設けた規制部に幅広部の両側部を当接させることができる。もって、接続対象物が前面の前方側から接近して弾性変形部を中心として弾性変形して端子の先端部がコネクタ本体内に十分に挿入されるのを、規制部が何ら妨げることがない。
【発明を実施するための最良の形態】
【００１３】
以下、本発明の第１実施例を図１ないし図９を参照して説明する。図１は、本発明のコネクタの第１実施例の外観斜視図である。図２は、図１のコネクタの一部を切り欠いて反対側から見た外観斜視図である。図３は、端子の外観斜視図であり、（ａ）図１と同じ側から見た斜視図であり、（ｂ）は図２と同じ側から見た斜視図である。図４は、コネクタ本体を図１と同じ側から見た斜視図である。図５は、コネクタ本体の一部を切り欠いた図２と同じ側から見た斜視図である。図６は、図１のＡ−Ａ縦断面図である。図７は、図６のコネクタ本体をＢ−Ｂで一部切り欠いた図である。図８は、バッテリーユニットが前面の前方側から接近して当接部に弾接して、端子が弾性変形部を中心として弾性変形して端子の先端部がコネクタ本体内にさらに挿入されるのを示す図である。図９は、バッテリーユニットが前面の前方側以外で弾性変形部の折り曲げを開く方向で前面と略平行方向から接近しても、端子の先端部がコネクタ本体内で規制部に当接して、端子が弾性変形部の折り曲げを開く方向に弾性変形されるのが阻止されるのを示す図である。図１ないし図９において、図１４および図１５に示す部材と同じまたは均等な部材には同じ符号を付けて、重複する説明を省略する。
【００１４】
本発明のコネクタの第１実施例において、図１４および図１５に示す従来の構造と相違するところは、以下の点にある。まず、端子１０、１０…の他端側の先端部２０、２０…に、幅広部２０ａ、２０ａ…がそれぞれに設けられている。なお、端子１０、１０…の先端部２０、２０…は、弾性変形部１６、１６…と同じ方向に折り曲げられて、この折り曲げられた部分で、幅広部２０ａ、２０ａ…がそれぞれに設けられている。そして、絶縁性のコネクタ本体１４の前面１４ａのスリット１４ｂ、１４ｂ…の両側で、端子１０、１０…の先端部２０、２０…がほぼ当接する位置には、端子１０、１０…の先端部２０、２０…の挿入は許容するが、前面１４ａの前方側以外で弾性変形部１６、１６…の折り曲げを開く方向で前面１４ａと略平行方向から接近する力、すなわち図６にＢで示す方向の力に対して、幅広部２０ａ、２０ａ…の折り曲げた先端縁が当接する規制部１４ｃ、１４ｃ…がそれぞれに設けられている。
【００１５】
かかる構成において、バッテリーユニット５０が機器本体に正しく装着されて被接続端子２２、２２…が端子１０、１０…の当接部１８、１８…にそれぞれに正しく当接する状態では、図８に示すごとく、端子１０、１０…は幅広部２０ａ、２０ａ…が規制部１４ｃ、１４ｃ…に当接することなしに弾性変形がなされ、被接続端子２２、２２…と端子１０、１０…が適宜な弾力で当接し、確実な電気的接続が得られる。もって、バッテリーユニット５０と機器本体が確実に電気的接続される。そして、図９に示すごとく、バッテリーユニット５０が正しく装着されず、端子１０、１０…の当接部１８、１８…が図９にＢで示す方向の力で押圧されると、端子１０、１０…の先端部２０、２０…に設けた幅広部２０ａ、２０ａ…が規制部１４ｃ、１４ｃ…に当接するまで弾性変形されるが、それ以上の弾性変形が阻止される。よって、図９にＢで示す方向の力で、端子１０、１０…は塑性変形されるような過度に弾性変形されるようなことがない。もって、確実な電気的接続が維持し得る。
【００１６】
なお、第１実施例にあっては、端子１０、１０…の先端部２０、２０…を折り曲げて、規制部１４ｃ、１４ｃ…に対して幅広部２０ａ、２０ａ…が縦方向に当接するように形成したので、幅広部２０ａ、２０ａ…の規制部１４ｃ、１４ｃ…に当接する方向の機械的強度が大きい。そこで、図９にＢで示す方向の力で、端子１０、１０…の幅広部２０ａ、２０ａ…が変形されるようなことがない。また、端子１０、１０…の先端部２０、２０…を幅広部２０ａ、２０ａ…として、その両端部がスリット１４ｂ、１４ｂ…の内壁の両側部に形成した規制部１４ｃ、１４ｃ…に当接するようにしたので、規制部１４ｃ、１４ｃ…を設けても、端子１０、１０…が弾性変形部１６、１６…を中心として弾性変形してコネクタ本体１４内に挿入されるのを、何ら妨げることがない。
【００１７】
次に、本発明の第２実施例を図１０ないし図１３を参照して説明する。図１０は、本発明のコネクタの第２実施例の外観斜視図である。図１１は、図１０のコネクタの一部を切り欠いて底側から見た外観斜視図である。図１２は、図１０のＣ−Ｃ縦断面図である。図１３は、図１２のコネクタ本体をＤ−Ｄで一部切り欠いた図である。図１０ないし図１３において、図１ないし図９および図１４および図１５に示す部材と同じまたは均等な部材には同じ符号を付けて、重複する説明を省略する。
【００１８】
本発明のコネクタの第２実施例において、弾性と導電性を有する略帯状板金からなる端子３０は、その一端側が絶縁性のコネクタ本体３４内の溝部に適宜に挿入されて固定されるとともに、その他端側が略逆Ｌ字状に折り曲げられて弾性変形部３６が形成される。そして、端子３０は、弾性変形部３６の固定されない側に連なる部分がコネクタ本体３４の前面３４ａより前方に突出され、この突出された部分の途中が略Ｖ字状に弾性変形部３６の折り曲げ方向と同じ板厚方向に折り曲げられて当接部３８が形成される。さらに、この当接部３８に連なる他端側の先端部４０が、コネクタ本体３４内に前面３４ａから再び挿入し得るように形成される。そして、コネクタ本体３４の前面３４ａには、端子３０が弾性変形する際に挿通を許容するスリット３４ｂが設けられている。さらに、端子３０の他端側の先端部４０が弾性変形部３６と同じ方向に折り曲げられ、この折り曲げられた部分で幅広部４０ａが設けられている。そして、絶縁性のコネクタ本体３４の前面３４ａのスリット３４ｂの両側部で、端子３０の先端部４０がほぼ当接する位置に、端子３０の先端部４０の挿入は許容するが、前面３４ａの前方側以外で弾性変形部３６の折り曲げを開く方向で前面３４ａと略平行方向から接近する力、すなわち図１２にＣで示す方向の力に対して、幅広部４０ａの折り曲げた先端縁が当接する規制部３４ｃが設けられている。
【００１９】
かかる構成の第２実施例において、バッテリーユニットが機器本体に正しく装着されて被接続端子が端子３０の当接部３８に正しく当接する状態では、端子３０は幅広部４０ａが規制部３４ｃに当接することなしに弾性変形部３６を中心として弾性変形がなされ、被接続端子と端子３０が適宜な弾力で当接し、確実な電気的接続が得られる。もって、バッテリーユニットと機器本体が確実に電気的接続される。そして、バッテリーユニットが正しい方向から装着されず、端子３０の当接部３８に図１２でＣで示す方向の力で押圧されると、端子３０の先端部４０に設けた幅広部４０ａが規制部３４ｃに当接するまで弾性変形され、それ以上の弾性変形が阻止される。よって、図１２にＣで示す方向の力で、端子３０は塑性変形されるような過度に弾性変形されるようなことがない。もって、確実な電気的接続が維持し得る。
【００２０】
なお、上記実施例にあっては、端子１０、３０の先端部２０、４０に設けた幅広部２０ａ、４０ａをスリット１４ｂ、３４ｂの両側部に設けた規制部１４ｃ、３４ｃに当接するようにしているが、これに限られず、幅広部２０ａ、４０ａを設けることなく、端子１０、３０の先端部２０、４０を規制部１４ｃ、３４ｃに当接するようにしても良い。ここで、コネクタ本体１４、３４の前面１４ａ、３４ａに設けられるスリット１４ｂ、３４ｂは、端子１０、３０の弾性変形部１６、３６から当接部１８、３８に到る部分等の挿入を許容するように適宜に設けられれば良く、先端部２０、４０が挿入される位置まで連続して設けられる必要はなく、先端部２０、４０が挿入される位置には別に挿入用の孔が穿設されていても良い。かかる場合には、この孔の内壁を規制部１４ｃ、３４ｃとして作用させることができる。
【図面の簡単な説明】
【００２１】
【図１】本発明のコネクタの第１実施例の外観斜視図である。
【図２】図１のコネクタの一部を切り欠いて反対側から見た外観斜視図である。
【図３】端子の外観斜視図であり、（ａ）図１と同じ側から見た斜視図であり、（ｂ）は図２と同じ側から見た斜視図である。
【図４】コネクタ本体を図１と同じ側から見た斜視図である。
【図５】コネクタ本体の一部を切り欠いた図２と同じ側から見た斜視図である。
【図６】図１のＡ−Ａ縦断面図である。
【図７】図６のコネクタ本体をＢ−Ｂで一部切り欠いた図である。
【図８】バッテリーユニットが前面の前方側から接近して当接部に弾接して、端子が弾性変形部を中心として弾性変形して端子の先端部がコネクタ本体内にさらに挿入されるのを示す図である。
【図９】バッテリーユニットが前面の前方側以外で弾性変形部の折り曲げを開く方向で前面と略平行方向から接近しても、端子の先端部がコネクタ本体内で規制部に当接して、端子が弾性変形部の折り曲げを開く方向に弾性変形されるのが阻止されるのを示す図である。
【図１０】本発明のコネクタの第２実施例の外観斜視図である。
【図１１】図１０のコネクタの一部を切り欠いて底側から見た外観斜視図である。
【図１２】図１０のＣ−Ｃ縦断面図である。
【図１３】図１２のコネクタ本体をＤ−Ｄで一部切り欠いた図である。
【図１４】特許文献１に示された従来のコネクタの構造の縦断面図である。
【図１５】図１４の従来のコネクタの構造で、接続対象物が前面の前方側以外から接近すると、端子が過度に弾性変形されて塑性変形を生じる虞があることを説明する図である。
【符号の説明】
【００２２】
１０、３０  端子
１４、３４  コネクタ本体
１４ａ、３４ａ  前面
１４ｂ、３４ｂ  スリット
１４ｃ、３４ｃ  規制部
１６、３６  弾性変形部
１８、３８  当接部
２０、４０  先端部
２０ａ、４０ａ  幅広部
２２  被接続端子
５０  バッテリーユニット
【図１】
2008047447.tif 000003
【図２】
2008047447.tif 000004
【図３】
2008047447.tif 000005
【図４】
2008047447.tif 000006
【図５】
2008047447.tif 000007
【図６】
2008047447.tif 000008
【図７】
2008047447.tif 000009
【図８】
2008047447.tif 000010
【図９】
2008047447.tif 000011
【図１０】
2008047447.tif 000012
【図１１】
2008047447.tif 000013
【図１２】
2008047447.tif 000014
【図１３】
2008047447.tif 000015
【図１４】
2008047447.tif 000016
【図１５】
2008047447.tif 000017